(57)【要約】      （修正有）【課題】装置全体の構造が簡単で異物の噛み込みや経年変化による影響を受けることなく管体を連結する回転駆動手段がスムーズに昇降するボーリングマシンの提供する。【解決手段】管体Ｐを地中に貫入させるボーリングマシンであって、左右一対の支柱３０間に配置され、支柱３０に沿って移動するように吊り下げられた移動体４と、管体Ｐとの連結機構５１及びこの連結機構５１を管体Ｐの軸まわりに回転させる回転駆動手段５と、昇降手段６とを備える。さらに、移動体４を吊設する第一ワイヤー６０及びこの第一ワイヤー６０を巻き上げるモーター６１を有する上昇手段６Ａと、移動体４に接続される第二ワイヤー６２及びこの第二ワイヤー６２を介して移動体４を引き下げるシリンダ６３を有する下降手段６Ｂとからなる昇降手段６を備える。【選択図】図１
0003183346.tif 000002
【実用新案登録請求の範囲】
【請求項１】
管体を地中に貫入させるボーリングマシンであって、
台座と、
上記台座上に立設される左右一対の支柱及び一対の支柱間に橋架される天板を備えた枠体と、
上記一対の支柱間に配置され、上記支柱に沿って上下移動するように吊り下げられた移動体と、
上記管体との連結機構及びこの連結機構を管体の軸心を中心として回転させる回転機構を有する回転駆動手段と、
上記移動体を支柱に沿って移動させる昇降手段とを備え、
上記昇降手段が、上記移動体を吊設する第一ワイヤー及びこの第一ワイヤーを巻き上げるモーターを有する上昇手段と、上記移動体に接続される第二ワイヤー及びこの第二ワイヤーを介して上記移動体を引き下げるシリンダを有する下降手段とから構成されている
ことを特徴とするボーリングマシン。
【請求項２】
上記移動体が、上記回転駆動手段を搭載し、上記一対の支柱の一方の面より突出した部位を有する移動体本体、
上記移動体本体から左右方向に突出し、上記一対の支柱の一方の面にそれぞれ対面するフランジ、及び
上記フランジにそれぞれ回転可能に支持され、上記一対の支柱の一方の面を転動する一対の車輪を有する請求項１に記載のボーリングマシン。
【請求項３】
上記枠体及び移動体を傾動させる傾動手段を備えている請求項１又は請求項２に記載のボーリングマシン。
【請求項４】
上記シリンダが、上記傾動手段として使用することができる請求項３に記載のボーリングマシン。
【請求項５】
上記台座が、移動用車両に載置されている請求項１から請求項４のいずれか１項に記載のボーリングマシン。
【考案の詳細な説明】
【技術分野】
【０００１】
本考案は、ホテル等の敷地内、特に天井高さの低い屋内の駐車場等で地盤に管体を貫入する掘削作業を行うことができるボーリングマシンに関する。
【背景技術】
【０００２】
従来、井戸掘りや地質調査等の工事を行う際、地盤に管体を貫入させるために所定の掘削工事場所に設置して使用するボーリングマシンが存在している。かかるボーリングマシンは、管体を連結して回転駆動させる駆動モーター（以下、回転駆動手段ということがある）を昇降させる昇降用シリンダを上部に配設しているため装置全体が大型であった。そのため、既設建造物の敷地内、特に屋内の駐車場等で水源確保のために行う井戸掘り工事の実施が困難であった。
【０００３】
係る問題点に対処するため、小型でコンパクトなボーリングマシンが開発されている（例えば、特開２０００−３５５９３５号公報参照）。このボーリングマシンは、回転駆動手段が掘削工事場所に設置される支柱に沿って昇降するように、回転駆動手段の上下にワイヤーを張設し、このワイヤーを巻回するようにしている。
【０００４】
しかし、このボーリングマシンは、回転駆動手段を支柱に沿って安定して上下に昇降させるために、支柱の側面から背面を覆うような断面視略Ｌ字状の一対の腕部を回転駆動手段に配設し、回転駆動手段の上下に配設したワイヤーを油圧モーター等の昇降駆動装置によって巻き上げることで回転駆動手段を昇降させるようにしている。そのため、腕部と支柱との摺接面に異物を噛み込んだり、経年変化により劣化したりすると、回転駆動手段がスムーズに昇降しなくなる場合があるという問題を抱えている。
【先行技術文献】
【特許文献】
【０００５】
【特許文献１】特開２０００−３５５９３５号公報
【考案の概要】
【考案が解決しようとする課題】
【０００６】
本考案は、このような不都合に鑑みてなされたものであり、装置全体がコンパクトであるとともに、構造が簡単で異物の噛み込みや経年変化による影響を受けることなく管体を連結する回転駆動手段がスムーズに昇降するボーリングマシンの提供を目的とするものである。
【課題を解決するための手段】
【０００７】
上記課題を解決するためになされた考案は、
管体を地中に貫入させるボーリングマシンであって、
台座と、
上記台座上に立設される左右一対の支柱及び一対の支柱間に橋架される天板を備えた枠体と、
上記一対の支柱間に配置され、上記支柱に沿って移動するように吊り下げられた移動体と、
上記管体との連結機構及びこの連結機構を管体の軸心を中心として回転させる回転機構を有する回転駆動手段と、
上記移動体を支柱に沿って上下移動させる昇降手段とを備え、
上記昇降手段が、上記移動体を吊設する第一ワイヤー及びこの第一ワイヤーを巻き上げるモーターを有する上昇手段と、上記移動体に接続される第二ワイヤー及びこの第二ワイヤーを介して上記移動体を引き下げるシリンダを有する下降手段とから構成されていることを特徴とするボーリングマシンである。
【０００８】
当該ボーリングマシンは、管体を連結した回転駆動手段を配設した移動体が、支柱に沿って移動するように吊り下げられているから、移動体は支柱間で左右方向の移動を抑制されながら上下に移動する。また、移動体を上昇させるときは移動体の重量のみが負荷となるため比較的低出力のモーターで巻き上げることができ、移動体を下降させるときは高い出力を発生するシリンダ（例えば、油圧シリンダや油圧ジャッキ等）によって移動体を下降させるから、地盤を掘削する際に生じる大きな負荷に抗って、移動体をスムーズに下降させることができる。
【０００９】
当該ボーリングマシンは、上記移動体が、上記回転駆動手段を搭載し、上記一対の支柱の一方の面より突出した部位を有する移動体本体、上記移動体本体から左右方向に突出し、上記一対の支柱の一方の面にそれぞれ対面するフランジ及び上記フランジにそれぞれ回転可能に支持され、上記一対の支柱の一方の面を転動する一対の車輪を有するとよい。支柱の一方の面に対面するフランジに、支柱の一方の面を転動する車輪を備えているから、車輪の取り付け位置の調整を簡単に行うことができ、移動体は、この車輪によって支柱に沿ってスムーズに昇降するとともに、移動体の前後方向の移動を抑制することができる。
【００１０】
当該ボーリングマシンは、上記枠体及び移動体を傾動させる傾動手段を備えるとよい。これにより、当該ボーリングマシンによって掘削作業を行う既設建造物の内部空間の天井高さよりも高さの引くい出入口を容易に通過することができる。また、背面側に傾動させるようにすることで、移動体の前面が上方を向く方向に傾動し、車輪の周面が支柱の前面で支持され安定性及び安全性が向上する。
【００１１】
当該ボーリングマシンは、上記昇降手段のシリンダが、上記傾動手段として使用されるようにするとよい。これにより昇降手段として使用する高出力のシリンダを傾動手段の駆動部材として使用することができ、装置全体のコストダウンを図ることができる。
【００１２】
当該ボーリングマシンは、上記台座が、移動用車両に載置されているとよい。これにより、当該ボーリングマシンの作業場所への移動を容易に行うことができる。
【００１３】
なお、「左右」とは当該ボーリングマシンを正面から見たとき左右を意味し、「前面」とは、当該ボーリングマシンを正面から見たときの面を意味し、「背面」とはその逆の面（当該ボーリングマシンを背面から見たときの面）を意味する。
【考案の効果】
【００１４】
以上説明したように、本考案のボーリングマシンは、装置全体がコンパクトであるとともに、構造が簡単で異物の噛み込みや経年変化による影響を受けることなく管体を連結する回転駆動手段を配設した移動体をスムーズに昇降させることができる
【図面の簡単な説明】
【００１５】
【図１】本考案の一実施形態に係るボーリングマシンの正面図である。
【図２】図１のボーリングマシンの左側面図で昇降手段のシリンダを取り付けた状態である。
【図３】図１のボーリングマシンの左側面図で昇降手段のシリンダを取り外し、シリンダを傾動手段として取り付けた状態ある。
【図４】図１のボーリングマシンの枠体を傾動させた状態の右側面図である。
【図５】当該ボーリングマシンによる掘削作業開始前の正面図である。
【図６】１本目の管体が地盤に貫入した状態を示す正面図である。
【図７】２本目の管体を取り付けている状態を示す正面図である。
【考案を実施するための形態】
【００１６】
以下、適宜図面を参照しつつ、本考案の実施の形態を詳説する。
【００１７】
［第一実施形態］
図１のボーリングマシン１は、台座２と、この台座２上に立設される一対の支柱３０及び一対の支柱３０間に橋架される天板３１を備えた枠体３と、上記一対の支柱３０間に支柱の立設方向に上下移動するように吊り下げられた移動体４とを有している。上記支柱３０は、板材を組み合わせた角柱状に形成する他、Ｃ型の溝形鋼、Ｈ形鋼等を用いることができる。上記移動体４は、移動体本体４２及びこの移動体本体４２にフランジ４１を介して回転可能に支持される車輪４０を有する。また、上記移動体本体４２には、支柱３０の一方の面、具体的には、当該ボーリングマシン１を正面視したときの前面から突出する部位を有し、この突出部位の前面に、地盤に貫入する管体Ｐとの連結機構５１及びこの連結機構５１を管体Ｐの軸心を中心に回転させる回転機構５２を有する回転駆動手段５が配設されている。移動体４は、昇降手段６によって上記一対の支柱３０間で上下に移動する。この昇降手段６は、移動体４を吊設する第一ワイヤー６０及びこの第一ワイヤー６０を巻き上げるモーター６１を有する上昇手段６Ａと、移動体４に接続される第二ワイヤー６２及びこの第二ワイヤー６２の端部を引き下げることで移動体４を下方に移動させるシリンダ６３を有する下降手段６Ｂとから構成されている。
【００１８】
上記一対の支柱３０は、本実施例においては、Ｈ形鋼を用い、Ｈ形鋼のフランジ面を前面及び背面に向け、ウエッブ面が対向するように台座２の端辺近傍に立設する。支柱３０は、その前面側が上方を向く方向に傾動可能に立設する。具体的には、一対の支柱３０を底板３２上に移動体４の幅寸法に合わせた所定間隔で載置し、溶接等の固定手段で底板３２上に固定した後、この底板３２を台座２上に支柱３０の前面が上方を向く方向に傾動可能に取り付けるようにしている。また、支柱３０を台座２上に載置し、支柱３０の背面側の下端部と台座２の上面とを直接蝶番を介して連結することもできる。
【００１９】
移動体４は、一対の支柱３０間で左右方向（天板３１の長手方向と平行方向）の移動が抑制されながら上下に移動可能となるように、その幅寸法Ｌ２が、一対の３０間の距離Ｌ１に対して若干短くなるように構成されている。
【００２０】
上記車輪４０は、移動体本体４４から左右方向に延設されるフランジ４１を介して取り付けられ、上記車輪４０の周面が支柱３０の前面に当接するように構成されている。具体的には、板状のフランジ４１を移動体本体４２の前面の左右の端部から支柱３０の前面を覆う位置まで延設し、このフランジの４１の裏面側に車輪４０（例えば台車用の固定車輪）を回転軸が天板３１の長手方向と平行となるようにして配設する。この車輪の高さ方向の寸法（支柱３０の表面に当接する車輪４０の周面からフランジ４１の裏面に固定する取付部までの距離）は、一対の支柱３０を傾動させることなく鉛直方向に立設した状態で、吊設した移動体４の移動体本体４２から延設されるフランジ４１の裏面から支柱３０の前面までの距離寸法よりも若干大きくなるようする。これにより後述する第一ワイヤー６０の天板３１に配設した固定滑車６４の位置に対して、回転駆動手段５を含めた移動体４の重心の位置が前方に位置することとなり、車輪４０が支柱３０の前面に押し付けられ、移動体４の昇降時に車輪４０が、確実に支柱３０の前面を転動して支柱３０に沿ってスムーズに昇降するとともに、前後方向（天板３１の長手方向と直交する方向）の移動を抑制することができる。また、上記車輪４０の配設数は、特に限定するものではなく、一基の支柱３０に対して少なくとも一つ配設すればよく、本実施例においては、一基の支柱３０に対して二つの車輪４０を配設する。これにより移動体４は安定して支柱３０に沿って昇降する。
【００２１】
上記上昇手段６Ａは、枠体３の天板３１の略内面中心（両支柱３０から同一の距離となる箇所）の１箇所に配設される固定滑車に第一ワイヤー６０を掛架して第一ワイヤー６０の一端を、第一ワイヤー６０を巻き上げるモーター６１と連結し、他端を移動体４の上面の中心に固定するようにしても構わないが、本実施例においては、天板の内面の２箇所に固定滑車６４を配設し、移動体４の上面の１箇所に動滑車６５を配設することが好ましい。そして、固定滑車６４、動滑車６５、固定滑車６４の順に掛架される第一ワイヤー６０の一端を、第一ワイヤー６０を巻き上げるモーター６１と連結し、他端を移動体４の上面に固定する。これにより第一ワイヤー６０を巻き上げるモーター６１の小型化を図ることができる。モーター６１は、回転軸に第一ワイヤー６０を巻き取る巻取手段を備えたものであれば、特に限定されるものではなく、油圧モーターや電動モーター等、種々のモーターを使用することができる。なお、本実施例においては、移動体４を上昇させるための必要なモーター６１は、第一ワイヤー６０を掛架する滑車に動滑車を利用しているとともに、回転駆動手段５を含んだ移動体４の重量のみが負荷となるため比較的低出力の電動モーターを使用している。
【００２２】
上記下降手段６Ｂは、第二ワイヤー６２の一端を、シリンダ６３のピストンロッドの先端に取り付け取り外しが容易なチャッキング機構を介して固定し、他端を移動体４の下面に取り付け、シリンダ６３を縮退させることで移動体４を下方に引っ張る。これにより回転駆動手段５を介して管体Ｐを地盤に押しつけ、管体Ｐを回転させながら地盤に埋設することができる。シリンダ６３は、例えば油圧シリンダや油圧ジャッキを用い、油圧ユニット（図示省略）と接続することでピストンロッドを伸縮させる。このシリンダ６３は、後述する傾動手段８と兼用することができるように、ピストンロッドの先端側及びシリンダボトム側に孔部を備えた油圧シリンダ（両端クレビス型シリンダ）又は油圧ジャッキを用い、上記シリンダボトム側の孔部に対応する貫通孔を備えたフランジＦ１（クレビス用取り付け金具）を上記台座２に配設し、このフランジＦ１に固定軸（クレビス軸）を介してシリンダボトム側を取り付ける。
【００２３】
また、第二ワイヤー６２は、枠体３の底板３２の上面に配設した複数の固定滑車６６に掛架し、支柱３０の内面に沿って上昇させ、天板３１近傍に配設した固定滑車６６に掛架して支柱３０上端に形成した開口部（Ｈ形鋼のウエッブ面を切り欠いて形成する）を通過させ、さらに支柱３０の外側の側面に沿って下降させ、移動体４とシリンダ６３のピストンロッドの先端とを連結するように構成することができる。このように第二ワイヤー６２を張設することで、シリンダ６３を支柱３０と平行に配設することができ、台座２上のスペースを有効に活用することができる。なお、第二ワイヤー６２を、上述した上昇手段６Ａの第一ワイヤー６０と同様に、移動体４に動滑車を配設して掛架し、シリンダストロークが長いシリンダ６３を使用することで、シリンダ６３を作動させる油圧ユニットの小型化を図ることができる。
【００２４】
上記回転駆動手段５は、支柱３０の前面から突出するように、移動体本体４２の突出部位の前面に配設され、下部に地盤に埋設する管体Ｐを連結して回転させる連結機構５１とこの連結機構５１を管体Ｐの軸心を中心として回転させる回転機構５２とを有している。また、回転駆動手段５の回転軸は中空に構成され、連結機構５１を介して連結される管体Ｐの先端、より具体的には、後述する管体Ｐの先端に配設される掘削用ドリルＤの刃先間から掘削した孔に水を送り込む送水用スイベル５３を回転駆動手段５の上部に配設している。
【００２５】
この送水用スイベル５３は送水ポンプＡの吐出口と連結されている。送水用スイベル５３、回転駆動手段５の中空の回転軸、管体Ｐの内部を介して管体Ｐの先端から排出される水は、管体Ｐの外周面と孔との隙間を通って地表面に到達する。地表面に到達した水は、管体Ｐを覆うとともに、先端部分を掘削する孔に埋設した筒状体Ｈの内面と管体Ｐの外面とで形成される空間を通って筒状体Ｈの上部側面に連結される配水管Ｋから送水タンクＴに環流する。そして、送水タンクＴ内で濾過された後、再び送水ポンプＡによって送水用スイベル５３を介して管体Ｐの先端から掘削される孔に送水される。これにより別途水源を確保することなく送水タンクＴ内に貯留する水のみで掘削作業によって発生する孔内の不純物を濾過することができる。
【００２６】
掘削作業を開始する際の管体Ｐ（最初に地盤に埋設する管体）は、先端に掘削用ドリルＤが配設されている。この掘削用ドリルＤは、特に限定されるものではないが、管体Ｐの回転と地盤に向かう押圧力に伴って従動的に回転するように、管体Ｐと略同径の筒状の側壁を複数に、例えば３分割又は４分割し、分割された側壁から中心斜め下方に向かって延設した枢軸に歯車状の車輪を配設して構成するようにしている。これにより管体Ｐの先端に送水用の空隙を設けた状態で掘削用ドリルＤを配設することができる。
【００２７】
また、当該ボーリングマシン１は、上記枠体３及び移動体４を背面側に傾動させる傾動手段７を備えている。これにより、当該ボーリングマシンによって作業を行う空間の天井高さよりも引く出入り口を容易に通過することができる。また、背面側に傾動させるようにしているから、移動体４の前面が上方を向く方向に傾動し、車輪４０の周面が支柱３０の前面で支持され安定性及び安全性が向上する。また、移動体４の前面が上方を向く方向に傾動するように構成しているから移動体４は支柱３０の前面に当接する車輪４０によって安定した状態で傾動する。
【００２８】
この傾動手段７は、一対の支柱３０のいずれか一方の裏面の中央部近傍に配設したフランジＦ２（クレビス用取り付け金具）及び台座２の上面に配設したフランジＦ３（クレビス用取り付け金具）に、ピストンロッドの先端側及びシリンダボトム側に孔部を備えた油圧シリンダ（両端クレビス型シリンダ）又は油圧ジャッキの両孔部を固定軸（クレビス軸）によって取り付けることで構成する。このとき、傾動手段７を構成する油圧シリンダは、枠体３の一対の支柱３０が鉛直方向に立設している状態のときに、ピストンロッドを伸張させて取り付ける。そして、ピストンロッドを縮退させることで、枠体３を移動体４と共に移動体４の前面が上方を向く方向に傾動させる。これにより当該ボーリングマシン１によって作業を行う空間の天井高さよりも、出入口の高さが低いような場合であっても、当該ボーリングマシン１を容易に通過させることができる。また、当該ボーリングマシン１を後述する移動用車両に載置させて移動するとき、枠体３を傾動させた状態とすることで、重心の位置を低く抑え、ボーリングマシン１を安定して移動させることができる。
【００２９】
傾動手段７を構成する油圧シリンダ又は油圧ジャッキは、上述したように、クレビス接続するようにしているから、その取り付け取り外しが容易であり、上記下降手段６Ｂの油圧シリンダ又は油圧ジャッキと兼用することができる。これにより昇降手段として使用する高出力のシリンダを傾動手段の駆動部材として使用することができ、装置全体のコストダウンを図ることができる。
【００３０】
また、当該ボーリングマシン１は、台座２を移動用車両８に載置することで、ボーリングマシン１を、移動用車両８を使って目的の掘削工事場所まで移動させることができる。移動用車両８は、運転席と荷台を備えた一般的なトラックタイプの車両やフォークリフトであっても構わないが、台座２を載置させた状態で掘削作業を行うことができるように台座２を載置する荷台の高さが地面から数十ｃｍの高さであって、操舵用のハンドル８０及びハンドル８０近傍に配設する操作手段８１から操作することができる駆動機構（例えば油圧ポンプ（図示省略））によって駆動するキャタピラを両側面に備えた車両を使用することが好ましい。キャタピラ式の車両とすることで、移動領域に悪路や急斜面のある場合でも容易に当該ボーリングマシン１を移動させることができるとともに、掘削工事場所に移動後、直ちに掘削作業を行うことができる。
【００３１】
また、上記移動用車両８は、少なくとも一方の側面にアウトリガーを備えるようにすることが好ましい。本実施例においては、正面視右側の側面の前後に二基のアウトリガー８２を配設している。これにより当該ボーリングマシン１を地盤に対して安定させた状態で掘削作業を行うことができる。
【００３２】
次に、図４〜図７を参照して、当該ボーリングマシン１を使用した地盤の掘削作業について説明する。
【００３３】
まず、ボーリングマシン１の枠体３を傾動させた状態（図４参照）で、ホテルの駐車場等、天井面までの高さが低い掘削工事場所に搬入する。
【００３４】
掘削工事場所に搬入した当該ボーリングマシン１は、傾動手段７のシリンダを伸張させ枠体３の支柱３０が鉛直方向を向くように立設する。その後、アウトリガー８２を移動用車両８の側面から引き出すとともに地面に接地させて当該ボーリングマシン１を地盤に対して安定させて固定する。
【００３５】
当該ボーリングマシン１を地盤に対して安定した固定状態で、先端に掘削用ドリルＤを備えた管体Ｐを、連結機構５１を介して回転駆動手段５に接続する。そして、管体Ｐの先端が地面に到達する位置（先端の掘削用ドリルＤが地面に当接した状態）まで上昇手段６Ａのモーター６１を、第一ワイヤー６０を送り出す方向に回転させ第一ワイヤー６０によって吊設される移動体４を下降させる。このとき、管体Ｐに所定の隙間を空けて上記筒状体Ｈを環装し、管体Ｐが筒状体Ｈに挿通された状態で筒状体Ｈの先端を地盤に押し込む。これにより筒状体Ｈの先端部分が掘削する孔に埋設された状態となる。
【００３６】
この状態で、下降手段６Ｂのシリンダ６３を最大長まで伸張させ、ピストンロッドの先端に、移動体４の下面に固定され、複数の固定滑車６６に掛架される第二ワイヤー６２の一端を固定し、第二ワイヤー６２を張設する。これによりシリンダ６３の全ストローク長が管体Ｐを地盤に埋設させる長さとなる（図５参照）。
【００３７】
次に、回転駆動手段５を回転させながら、シリンダ６３を縮退させ管体Ｐの先端に配設した掘削用ドリルＤによって地盤を掘削しながら管体Ｐを地盤に貫入させる。このとき、上昇手段６Ａのモーター６１は、従動して回転するようクラッチを切った状態にする。また、送水ポンプＡを作動させ、送水用スイベル５３を介して管体Ｐの先端から掘削した孔に送水する。送水された水は上述したとおり、筒状体Ｈの上部側面に連結される配水管Ｋから送水タンクＴに環流され、送水タンクＴ内で濾過された後、再び送水ポンプＡによって掘削した孔に送水される。
【００３８】
シリンダ６３が完全に縮退したとき、回転駆動手段５の回転を停止し、連結機構５１を操作して連結されている管体Ｐと連結機構５１の連結を解除する。そして、上昇手段６Ａのモーター６１を作動させ、地盤に貫入した管体Ｐを残して第一ワイヤー６０によって吊設される移動体４を上昇させる（図６参照）。移動体４は、地盤に貫入している管体Ｐの上端と回転駆動手段５の連結機構５１との間に、先端に管体Ｐとの接続機構Ｊを備えた管体Ｐ２が取り付け可能となる位置まで上昇させる。
【００３９】
移動体４を上昇させた状態で、次の管体Ｐ２を、地盤に貫入させた管体Ｐと接続機構Ｊを介して連結し、回転駆動手段５と連結機構５１を介して連結する（図７参照）。そして、上述した回転駆動手段５、下降手段６Ｂ及び送水ポンプＡを作動させ、管体Ｐ及び管体Ｐ２をさらに地盤に貫入させる。移動体４が図６に示す位置まで下降したとき、回転駆動手段５、下降手段６Ｂ及び送水ポンプＡ停止し、移動体４を上昇させて次の管体を連結し、連結した管体と既に地盤に貫入した管体をさらに地盤に貫入する作業を所定回数繰り返す。
【００４０】
＜利点＞
当該ボーリング１は、上述の通り、管体Ｐを回転させる回転駆動手段５が移動体４と共に昇降するから、全長を低く抑えることができ、ホテルや日帰り温泉施設の屋内駐車場といった天井高さの低い場所でも容易に掘削作業を行うことができる。また、枠体３を移動体４と共に傾動させて移動させることができるから天井高さよりもさらに低い出入口からも容易にボーリングマシン１を搬入することができる。また、移動体４には支柱の表面に当接する車輪４０を配設しているから昇降がスムーズであり、簡易な構成であるため異物の噛み込み等を発生させることなく、経年劣化による昇降異常を発生させにくい。
【００４１】
なお、本考案のボーリングマシンは、上記態様の他、種々の変更、改良を施した態様で実施することができる。例えば、当該ボーリングマシン１は、支柱３０を角柱や溝形鋼（コ字状の対面する面を連結する面が内面となるように立設する）とする場合、車輪４の周面が支柱３０の内面（一対の支柱３０が対向する面）と当接するように構成することもできる。この場合、支柱３０の内面にレール部材を敷設し、車輪４０を移動体本体４２の側面に配設し、その周面に溝部を設け、レール部材上を走行するように構成することができる。車輪４０に形成した溝部がレール部材に嵌まり込むことにより移動体４の前後方向の移動を抑制することができる。また、支柱３０を立設方向で上下２段に分割し、蝶番を介して上下の支柱を連結することで、傾動手段７によって支柱３０の上段部分のみを傾動させるようにすることができる。また、回転機構５２の回転軸を中実の回転軸として、連結機構５１と回転軸との間に送水用スイベル５３を配設するように構成することもできる。
【産業上の利用可能性】
【００４２】
以上のように、本考案のボーリングマシンは、ホテルや日帰り温泉施設等の敷地内、特に天井高さの低い屋内の駐車場等で行う掘削作業用のボーリングマシンとして好適に用いられる。
【符号の説明】
【００４３】
１    ボーリングマシン
２    台座
３    枠体
３０  支柱
３１  天板
３２  底板
４    移動体
４０  車輪
４１  フランジ
４２  移動体本体
５    回転駆動手段
５１  連結機構
５２  送水用スイベル
６    昇降手段
６０  第一ワイヤー
６１  モーター
６２  第二ワイヤー
６３  シリンダ
６４  固定滑車
６５  動滑車
６６  固定滑車
７    傾動手段
８    走行用車両
８０  ハンドル
８２  アウトリガー
Ｐ    管体
Ｆ１  フランジ
Ｆ２  フランジ
Ｆ３  フランジ
Ａ    送水ポンプ
Ｔ    送水用タンク
Ｈ    筒状体
Ｋ    配水管
【図１】
0003183346.tif 000003
【図２】
0003183346.tif 000004
【図３】
0003183346.tif 000005
【図４】
0003183346.tif 000006
【図５】
0003183346.tif 000007
【図６】
0003183346.tif 000008
【図７】
0003183346.tif 000009